(57)【特許請求の範囲】
【請求項１】
アノード、カソードおよび発光層を含む有機発光装置であって、発光層がアノードとカソードの間に位置し、発光層が、ホスト材料及びホスト材料中にドーパントとして存在する燐光性有機金属白金化合物を含み、燐光性有機金属白金化合物が炭素−金属結合を含む、有機発光装置。
【請求項２】
燐光性有機金属白金化合物が、少なくとも１つの白金−Ｘ結合で閉じた環を含むシクロメタル化白金化合物であり、Ｘが窒素、硫黄、リン、ヒ素および酸素からなる群から選択され、かつ少なくとも１つの炭素−白金結合で閉じた環を含む、請求項１に記載の有機発光装置。
【請求項３】
Ｘが窒素である、請求項２に記載の有機発光装置。
【請求項４】
ホスト材料が重合体ホスト材料である、請求項１から３のいずれか一項に記載の有機発光装置。
【請求項５】
重合体ホスト材料がポリビニルカルバゾールである、請求項４に記載の有機発光装置。
【請求項６】
燐光性有機金属白金化合物が電子供与基で置換されている、請求項１から５のいずれか一項に記載の有機発光装置。
【請求項７】
燐光性有機金属白金化合物が電子受容基で置換されている、請求項１から５のいずれか一項に記載の有機発光装置。
【請求項８】
ホスト材料が分子ホスト材料である、請求項１、２、３、６、又は７のいずれか一項に記載の有機発光装置。
【請求項９】
分子ホスト材料が、置換トリアリールアミンからなる群から選択されるホール輸送材料であるか、又は金属キノキソレート、オキサジアゾール、及びトリアゾールからなる群から選択される電子輸送材料である、請求項８に記載の有機発光装置。
【請求項１０】
請求項１〜９のいずれか一項に記載の有機発光装置を組込んだ表示装置。
【請求項１１】
乗り物、コンピューター、テレビ、印刷機、大型壁面、劇場スクリーン、スタジアムスクリーン、広告板、及び標識からなるシステム群から選択されるシステム中に組み込まれている、請求項１０に記載の表示装置。
【発明の詳細な説明】
【０００１】
（技術分野）
本発明は、有機金属燐光性ドーパント化合物を含有する発光層を有する有機発光装置（ＯＬＥＤ）に関する。
【０００２】
（背景技術）
有機発光装置（ＯＬＥＤ）は、幾つかの有機層からなり、それら層の中の一つが、その装置を通って電圧を印加することによりエレクトロルミネッセンスを生ずるように作られている有機材料からなる。Ｃ．Ｗ．タング（Ｔａｎｇ）その他、Ａｐｐｌ．Ｐｈｙｓ．Ｌｅｔｔ．，５１，９１３，（１９８７）。或るＯＬＥＤは、ＬＣＤ系天然色平面パネル表示装置に対する実際的な新しい技術として使用するのに充分な輝度、色の範囲、及び作動寿命を有することが示されてきた〔Ｓ．Ｒ．ホレスト（Ｆｏｒｒｅｓｔ）、Ｐ．Ｅ．バローズ（Ｂｕｒｒｏｗｓ）、及びＭ．Ｅ．トンプソン（Ｔｈｏｍｐｓｏｎ）、Ｌａｓｅｒ  Ｆｏｃｕｓ  Ｗｏｒｌｄ，Ｆｅｂ．１９９５〕。そのような装置で用いられる有機薄膜の多くは、可視スペクトル範囲で透明なので、それらは、赤（Ｒ）、緑（Ｇ）、及び青（Ｂ）の発光ＯＬＥＤを、垂直に積層した幾何学的形状に配置し、簡単な製造方法、小さなＲ−Ｇ−Ｂピクセルサイズ、及び大きな充填率（ｆｉｌｌ  ｆａｃｔｏｒ）を与える完全に新しい型の表示器ピクセルを実現することができる。国際特許出願Ｎｏ．ＰＣＴ／ＵＳ９５／１５７９０。
【０００３】
高い解像力を持ち、独立にアドレスすることができる積層Ｒ−Ｇ−Ｂピクセルを実現するための重要な段階を示す透明ＯＬＥＤ（ＴＯＬＥＤ）が、国際特許出願Ｎｏ．ＰＣＴ／ＵＳ９７／０２６８１に報告されており、この場合ＴＯＬＥＤは、スイッチを切った時、７１％より大きな透明性を示し、装置のスイッチを入れた時、大きな効率（１％に近い量子効率）で上及び下の両方の装置表面から光を出す。そのＴＯＬＥＤは、ホール注入電極として透明インジウム錫酸化物（ＩＴＯ）を、電子注入のためにＮｇ−Ａｇ−ＩＴＯ電極層を用いている。Ｎｇ−Ａｇ−ＩＴＯ電極層のＩＴＯ側が、ＴＯＬＥＤの上に積層された第二の別の色の発光ＯＬＥＤのためのホール注入接点として用いられている装置が開示されている。積層ＯＬＥＤ（ＳＯＬＥＤ）の各層は、独立にアドレスすることができ、それ自身の特性色を発光する。この着色発光は、隣接して積層された透明の独立にアドレスすることができる有機層（単数又は複数）、透明接点、及びガラス基体を通って伝達され、赤色及び青色の発光層の相対的出力を変化させることにより生ずることができるどのような色でも装置が発光できるようにしている。
【０００４】
ＰＣＴ／ＵＳ９５／１５７９０出願には、色調節可能な表示装置で外部から供給される電力で強度及び色の両方を独立に変化し、調節することができる集積ＳＯＬＥＤが開示されている。このように、ＰＣＴ／ＵＳ９５／１５７９０出願は、小型のピクセルサイズによって可能にされた高い解像力を与える集積天然色ピクセルを達成する原理を例示している。更に、従来の方法と比較して、そのような装置を製造するために比較的低いコストの製造技術を用いることができる。
【０００５】
有機光電子材料の層を用いることに基づく構造を有するそのような装置は、一般に光学的発光を与える一般的機構に依存している。この機構は捕捉された電荷の発光を伴う再結合に基づいているのが典型的である。特にＯＬＥＤは、装置のアノードとカソードを分離する少なくとも二つの薄い有機層からなる。これらの層の一つの材料は、特に材料のホールを輸送する能力に基づいて選択された「ホール輸送層」（ＨＴＬ）であり、他方の層の材料は特に電子を輸送するその能力に従って選択された「電子輸送層」（ＥＴＬ）である。そのような構造により、装置はダイオードとして見ることができ、アノードに印加された電位がカソードに印加された電位よりも高い時、順方向バイアスとなる。これらのバイアス条件下では、アノードはホール輸送層中へホール（正電荷キャリヤー）を注入し、一方カソードは電子輸送層に電子を注入する。これにより、ルミネッセンス媒体の、アノードに隣接した部分はホール注入及び輸送領域を形成し、一方ルミネッセンス媒体の、カソードに隣接した部分は電子注入及び輸送領域を形成する。注入されたホール及び電子は、夫々反対に帯電した電極の方へ移動する。同じ分子に電子及びホールが局在すると、フレンケル（Ｆｒｅｎｋｅｌ）励起子が形成される。この寿命の短い状態の再結合は、電子がその伝導電位から価電子帯へ落ちた時に可視化され、或る条件下では優先的に発光機構により緩和が起きる。典型的な薄層有機装置の作動機構のこの見解によれば、エレクトロルミネッセンス層は易動性電荷キャリヤー（電子及びホール）を各電極から受けるルミネッセンス領域を有する。
【０００６】
エレクトロルミネッセンス発光を生ずる材料は、屡々電子輸送層又はホール輸送層として働く材料と同じ材料である。電子輸送層又はホール輸送層が発光層としても働くそのような装置は、単一ヘテロ構造を有するとして言及されている。別法として、エレクトロルミネッセンス材料は、ホール輸送層と電子輸送層との間の別の発光層中に存在し、それは二重ヘテロ構造と呼ばれている。
【０００７】
電荷キャリヤー層、即ち、ホール輸送層又は電子輸送層中の主たる成分として存在し、電荷キャリヤー材料及び発光材料の両方として機能を果たす発光材料の外に、電荷キャリヤー層中のドーパントとして比較的低い濃度で発光材料が存在する。ドーパントが存在する場合には、電荷キャリヤー層中の主たる材料はホスト化合物又は受容性化合物と呼ぶことができる。ホスト及びドーパントとして存在する材料は、ホストからドーパント材料へ高レベルのエネルギー遷移を与えるように選択する。更に、これらの材料はＯＬＥＤのための許容可能な電気的性質を生ずることができる必要がある。更に、そのようなホスト及びドーパント材料は、便利な製造技術を用いて、特に真空蒸着法を用いてＯＬＥＤ中に容易に配合することができる出発材料を用いてＯＬＥＤ中へ導入することができることが好ましい。
【０００８】
ＯＬＥＤは、三原色、赤、緑及び青の一つに相当する選択されたスペクトル領域に近く中心を持つ比較的狭い帯域中のエレクトロルミネッセンス発光を与える材料を用いて製造するのが望ましく、その結果それらはＯＬＥＤ又はＳＯＬＥＤ中の着色層として用いることができる。そのような化合物は、真空蒸着法を用いて薄層として容易に付着させることができることも望ましく、その結果それらは真空蒸着有機材料から完全に製造されるＯＬＥＤ中へ容易に導入することができる。
【０００９】
１９９６年１２月２３日に出願された係属中の米国特許出願０８／７７４，３３３は、飽和赤色発光を生ずる発光化合物を含有するＯＬＥＤに関する。
【００１０】
（発明の開示）
本発明は、発光層がホスト材料、前記ホスト材料中のドーパントとして存在する発光分子を含む有機発光装置に関し、その分子はヘテロ構造を通って電圧が印加された時にルミネッセンスを生ずるのに適合し、この場合その発光分子は燐光有機金属錯体の群から選択される。発光分子は、更に燐光性有機金属白金錯体の群から選択してもよく、更に燐光シクロメタル化（ｃｙｃｌｏｍｅｔａｌｌａｔｅｄ）白金錯体の群から選択してもよい。ホスト材料は置換トリアリールアミンの群から選択されたホール輸送マトリックスでもよい。ホスト材料は、金属キノキソレート、オキシダゾール、及びトリアゾールからなる群から選択された電子輸送マトリックスでもよい。
【００１１】
本発明は、ＯＬＥＤのドーパントとして用いられる新規な部類の燐光材料を含むＯＬＥＤを有する製造物品及びそれら物品の製造方法を包含する。これらの燐光材料は、４００ｎｍ〜７００ｎｍの波長のエレクトロルミネッセンス発光を与えるシクロメタル化白金錯体である。本発明は、更に青に見えたり、緑に見えたり、赤に見えたりする発光を与えることができるＯＬＥＤに関する。
【００１２】
特に本発明のＯＬＥＤは、ビス［２−（２−フェニル）ピリジナト−Ｎ，Ｃ２］、ビス［２−（２′−チエニル）ピリジナト−Ｎ，Ｃ３］、及びビス［ベンゾ（ｈ）キノリナト−Ｎ，Ｃ］と錯化した白金（ＩＩ）からなる発光層を有する。化合物、シス−ビス［２−（２′−チエニル）ピリジナト−Ｎ，Ｃ３］Ｐｔ（ＩＩ）は、強いオレンジ色〜黄色の発光を与える。
【００１３】
本発明は、更に発光分子が燐光有機金属化合物の群から選択されている発光層にも関し、この場合発光分子は電子供与体及び電子受容体の部類から選択された置換基を含有する。発光分子は、更に燐光有機金属白金錯体の群から選択されてもよく、更に燐光シクロメタル化白金錯体の群から選択されてもよく、この場合有機分子は電子供与体及び電子受容体の部類から選択された置換基を有する。
【００１４】
本発明は、更にルミネッセンスを生ずるためのヘテロ構造を有する有機発光装置に関し、この場合発光層は、ホスト材料、前記ホスト材料中のドーパントとして存在し、ヘテロ構造を通って電圧を印加した時にルミネッセンスを生ずるのに適合する発光分子を含み、その発光分子はシクロメタル化白金錯体からなる群から選択され、ホスト材料中のドーパントとして存在する分極分子が存在し、その分極分子は双極能率を有し、その分極分子は発光ドーパント分子により放出されたルミネッセンス光の波長を変化する。分極分子は、電子供与体及び電子受容体により置換された芳香族分子にすることができる。
【００１５】
本発明は、ＯＬＥＤ、及びＯＬＥＤの製造方法に関し、この場合その装置からの発光は燐光減衰過程により得られ、その燐光減衰速度は、表示装置の必要条件を満足する充分な速さを有する。特に本発明は、励起子一重項又は三重項状態からのエネルギーを受け、そのエネルギーを燐光放射として発光することができる材料からなるＯＬＥＤに関する。本発明のＯＬＥＤは、ＯＬＥＤからなる実質的にどのような型の装置でも、例えば、大型表示装置、乗り物、コンピューター、テレビ、印刷機、大型壁面、劇場又はスタジアムスクリーン、広告板、又は標識に組込まれるＯＬＥＤで用いることができる。
【００１６】
（本発明の詳細な説明）
本発明は、一般に有機発光装置のヘテロ構造を通って電圧を印加した時にルミネッセンスを生ずる発光分子に関し、その発光分子は燐光有機金属錯体の群から選択される。用語「有機金属」とは、一般に当業者により、例えば、ガリーＬ．ミースラー（Ｇａｒｙ  Ｌ．Ｍｉｅｓｓｌｅｒ）及びドナルドＡ．タール（Ｄｏｎａｌｄ  Ａ．Ｔａｒｒ）による「無機化学」（Ｉｎｏｒｇａｎｉｃ  Ｃｈｅｍｉｓｔｒｙ）、第２版、Ｐｒｅｎｔｉｃｅ−Ｈａｌｌ（１９９８）に与えられているように理解されている。本発明は、更に有機発光装置の発光層内の発光分子に関し、その分子は燐光シクロメタル化白金錯体からなる。エレクトロルミネッセンスで、この種の分子は赤、青、又は緑に見える発光を生ずる。ＣＩＥ一覧表の記載を含めた、色の外観についての論述は、Ｈ．ゾリンゲル（Ｚｏｌｌｉｎｇｅｒ）、「色の化学」（Ｃｏｌｏｒ  Ｃｈｅｍｉｓｔｒｙ）、ＶＣＨ出版社、（１９９１）、及びＨ．Ｊ．Ａ．ダートナル（Ｄａｒｔｎａｌｌ）、Ｊ．Ｋ．バウメーカー（Ｂｏｗｍａｋｅｒ）、及びＪ．Ｄ．モロン（Ｍｐｌｌｏｎ）、Ｐｒｏｃ．Ｒｏｙ．Ｓｏｃ．Ｂ（Ｌｏｎｄｏｎ），２２０，１１５−１３０，（１９８３）に見出すことができる。
【００１７】
次に本発明を、本発明の特別な好ましい態様について詳細に記述するが、これらの態様は単なる例示的実施例と見做され、本発明がそれらに限定されるものではないことは理解されるであろう。
【００１８】
シクロメタル化白金錯体の合成
多数の異なったＰｔシクロメタル化錯体を合成した。
分子内配位化合物とも呼ばれているシクロメタル化化合物の化学に対し、数多くの出版物、概論及び本が提供されている。〔Ｉ．オーマエ（Ｏｍａｅ）、「有機金属分子内配位化合物」（Ｏｒｇａｎｏｍｅｔａｌｌｉｃ  Ｉｎｔｒａｍｏｌｅｃｕｌａｒ−ｃｏｏｒｄｉｎａｔｉｏｎ  ｃｏｍｐｏｕｎｄｓ）、Ｎ．Ｙ．（１９８６）、Ｇ．Ｒ．ニューコーム（Ｎｅｗｋｏｍｅ）、Ｗ．Ｅ．パケット（Ｐｕｃｋｅｔｔ）、Ｖ．Ｋ．グプタ（Ｇｕｐｔａ）、Ｇ．Ｅ．キーフェル（Ｋｉｅｆｅｒ）、Ｃｈｅｍ．Ｒｅｖ．８６，４５１，（１９８６）、Ａ．Ｄ．リアボフ（Ｒｙａｂｏｖ）、Ｃｈｅｍ．Ｒｅｖ．９０，４０３，（１９９０）〕。これら出版物の殆どは、主題の機構的特徴を叙述しており、主に一つの二座又は三座配位子がＣ−Ｍ単一結合により金属に結合され、一つ又は二つの他のＸ−Ｍ結合（ここでＸはＮ、Ｓ、Ｐ、Ａｓ、Ｏでもよい）で閉鎖された環を有するシクロメタル化化合物について主に述べている。Ｃ、Ｎ型二座配位子以外の他の配位子を持たないビス−又はトリス−シクロメタル化錯体に専ら関連した文献はそれ程多くない。本発明の主題はこれらの化合物にある。なぜなら、それらは殆どのシクロメタル化錯体がそうであるように、興味ある光化学的性質を有すると予想されるのみならず、それらのモノシクロ金属化類似体と比較して一層大きな安定性を示すはずだからである。ビス−シクロパラジウム化（ｂｉｓ−ｃｙｃｌｏｐａｌａｄａｔｅｄ）及びビス−シクロ白金化化合物についての研究の殆どは、フォン・ゼレウスキー（ｖｏｎ  Ｚｅｌｅｗｓｋｙ）その他によって行われた〔概論については、Ｍ．マエストリ（Ｍａｅｓｔｒｉ）、Ｖ．バルザニ（Ｂａｌｚａｎｉ）、Ｃｈ．ドイチェル−コルニオレイ（Ｄｅｕｓｃｈｅｌ−Ｃｏｒｎｉｏｌｅｙ）、Ａ．フォン・ゼレウスキー、Ａｄｖ．Ｐｈｏｔｏｃｈｅｍ．，１７，１，（１９９２）、Ｌ．チャソット（Ｃｈａｓｓｏｔ）、Ａ．フォン・ゼレウスキー、Ｈｅｌｖ．Ｃｈｉｍ．Ａｃｔａ  ６６，２４３（１９８３）、Ｌ．チャソット、Ｅ．ミュラー（Ｍｕｌｅｒ）、Ａ．フォン・ゼレウスキー、Ｉｎｏｒｇ．Ｃｈｅｍ．，２３，４２４９，（１９８４）、Ｓ．ボナフィード（Ｂｏｎａｆｅｄｅ）、Ｍ．シアノ（Ｃｉａｎｏ）、Ｆ．ボレッタ（Ｂｏｌｅｔｔａ）、Ｖ．バルザニ（Ｂａｌｚａｎｉ）、Ｌ．チャソット、Ａ．フォン・ゼレウスキー、Ｊ．Ｐｈｙｓ．Ｃｈｅｍ．，９０，３８３６，（１９８６）、Ｌ．チャソット、Ａ．フォン・ゼレウスキー、Ｄ．サンドリニ（Ｓａｎｄｒｉｎｉ）、Ｍ．メストリ（Ｍａｅｓｔｒｉ）、Ｖ．バルザニ、Ｊ．Ａｍ．Ｃｈｅｍ．Ｓｏｃ．，１０８，６０８４，（１９８６）、Ｃｈ．ドイチェル−コルニオレイ、Ａ．フォン・ゼレウスキー、Ｉｎｏｒｇ．Ｃｈｅｍ．，２６，３３５４，（１９８７）、Ｌ．チャソット、Ａ．フォン・ゼレウスキー、Ｉｎｏｒｇ．Ｃｈｅｍ．，２６，２８１４，（１９８７）、Ａ．フォン・ゼレウスキー、Ａ．Ｐ．サックリング（Ｓｕｃｋｌｉｎｇ）、Ｈ．ステキー・エバンス（Ｓｔｏｅｃｋｉｉ−Ｅｖａｎｓ）、Ｉｎｏｒｇ．Ｃｈｅｍ．，３２，４５８５，（１９９３）、Ａ．フォン・ゼレウスキー、Ｐ．ベルサー（Ｂｅｌｓｅｒ）、Ｐ．ハイオズ（Ｈａｙｏｚ）、Ｒ．ダクス（Ｄｕｘ���、Ｘ．フア（Ｈｕａ）、Ａ．サックリング、Ｈ．ステキー・エバンス、Ｃｏｏｒｄ．Ｃｈｅｍ．Ｒｅｖ．，１３２，７５，（１９９４）、Ｐ．ジョリエ（Ｊｏｌｌｉｅｔ）、Ｍ．ギアニニ（Ｇｉａｎｉｎｉ）、Ａ．フォン・ゼレウスキー、Ｇ．ベルナルディネリ（Ｄｅｒｎａｒｄｉｎｅｌｌｉ）、Ｈ．ステキー・エバンス、Ｉｎｏｒｇ．Ｃｈｅｍ．，３５，４８８３，（１９９６）、Ｈ．ウィーデンホーフェル（Ｗｉｅｄｅｎｈｏｆｅｒ）、Ｓ．シュッツエンマイエル（Ｓｃｈｕｔｚｅｎｍｅｉｅｒ）、Ａ．フォン・ゼレウスキー、Ｈ．イェルシン（Ｙｅｒｓｉｎ）、Ｊ．Ｐｈｙｓ．Ｃｈｅｍ．，９９，１３３８５，（１９９５）、Ｍ．ギアニニ、Ａ．フォン・ゼレウスキー、Ｈ．ステキー・エバンス、Ｉｎｏｒｇ．Ｃｈｅｍ．，３６，６０９４，（１９９７）を参照〕。彼らの初期の研究の一つ〔Ｍ．メストリ、Ｄ．サンドリニ、Ｖ．バルザニ、Ｌ．チャソット、Ｐ．ジョリエ、Ａ．フォン・ゼレウスキー、Ｃｈｅｍ．Ｐｈｙｓ．Ｌｅｔｔ．，１２２，３７５，（１９８５）〕に、三つのビス−シクロ白金化錯体のルミネッセンス性が詳細に研究されている。我々の現在の研究にとって重要なＰｔビス−シクロメタル化錯体についての以前に報告された結果の要約は次の通りである：
【００１９】
ｉ．  一般に、金属原子とＣ，Ｘリガンドの間に形成された五員環を有するシクロメタル化錯体は一層安定である。
ｉｉ．  得られる化合物の安定性についての観点から、陰イオン性リガンドを含まない錯体が好ましい。従って、ビス−シクロメタル化錯体がモノ−シクロメタル化錯体よりも好ましい。
ｉｉｉ．  種々のＰｔ（Ｐｄ）シクロメタル化錯体が合成された。ホモレプティク（ｈｏｍｏｌｅｐｔｉｃ）（同様なＣ，Ｘリガンドを有する）、ヘテロレプティク（ｈｅｔｅｒｏｌｅｐｔｉｃ）（二種類の異なったシクロメタル化Ｃ，Ｘリガンドを含有する）、及び一つのＣ，Ｃシクロメタル化リガンド及び一つのＮ，Ｎ配位リガンドを有する錯体。
ｉｖ．  殆どのビス−シクロメタル化錯体は電子衝突イオン化で、それらの質量スペクトルにＭ＋イオンを示し、これは真空蒸着でそれらの安定性に対する我々の仮定の基礎にすることができる。
ｖ．  一方、錯体のあるものは、或る溶媒中では安定にはならないことが判明している。それらは酸化付加反応を受け、Ｐｔ（ＩＶ）又はＰｄ（ＩＶ）八面体錯体を生ずる。
ｖｉ．  光学的性質については、それら錯体の或るものについてしか報告されていない。吸収データーは殆ど与えられている。それらの吸収及び発光スペクトルの両方で観察されている低エネルギー電子遷移は、ＭＬＣＴ遷移によるものと指定されている。
ｖｉｉ．  報告されているルミネッセンス性を表１に要約する。使用した省略記号は図式１に説明されている。二つのＣ，Ｎリガンドを有するビス−シクロメタル化錯体から、一つのＣ，Ｃリガンド及び一つのＮ，Ｎリガンドを有する錯体への遷移で、発光に深色移行が観察されている〔Ｍ．メストリ、Ｄ．サンドリニ、Ｖ．バルザニ、Ａ．フォン・ゼレウスキー、Ｃ．ドイチェル−コルニオレイ、Ｐ．ジョリエ、Ｈｅｌｖ．Ｃｈｉｍ．Ａｃｔａ  ７１，１０５３，（１９８８）〕。
【００２０】
表１．幾つかのシクロ白金化錯体の吸収及び発光特性。
Ａ．フォン・ゼレウスキーその他〔Ｃｈｅｍ．Ｐｈｙｓ．Ｌｅｔｔ．，１２２，３７５，（１９８５）、及びＨｅｌｖ．Ｃｈｉｍ．Ａｃｔａ  １７，１０５３，（１９８８）〕からの引用。省略記号の説明は図式１に与えられている。
【００２１】
0004619546.tif 000002
【００２２】
図式１．  表１で用いた省略記号についての説明
0004619546.tif 000003
【００２３】
0004619546.tif 000004
【００２４】
我々は、異なったビス−シクロ白金化錯体を、異なったホスト、重合体及び分子の両方の中でのそれらの光学的性質を研究し、有機発光ダイオード（ＯＬＥＤ）のための対応するホスト中のドーパントとしてそれらを用いるために合成した真空蒸着法で製造したＯＬＥＤ中の分子ホスト中でそれらの錯体を使用するには、幾つかの条件を満足させる必要がある。それら錯体は、標準蒸着条件（真空度〜１０−６トール）で昇華し、安定であるべきである。それらはＯＬＥＤ用として興味のある発光特性を示し、Ａｌｑ３又はＮＰＤのような使用されるホスト材料からエネルギーを受け取ることができるべきである。一方、湿式法で製造されたＯＬＥＤで有用になるためには、それら錯体は慣用的溶媒（例えば、ＣＨＣｌ３）で広い範囲の濃度で真の溶液を形成し、重合体ホスト（例えば、ＰＶＫ）からの発光及び効率的なエネルギー遷移の両方を示すべきである。シクロ白金化錯体のこれらの性質は、全て試験した。重合体ホストでは、我々はそれら材料の幾つかから効率的なルミネッセンスを観察した。
【００２５】
２．  実験
２−（２−チエニル）ピリジン。  合成は図式２に示されており、公表された手順〔Ｔ．カオフマン（Ｋａｕｆｆｍａｎｎ）、Ａ．ミチケル（Ｍｉｔｓｃｈｋｅｒ）、Ａ．ウォルターマン（Ｗｏｌｔｅｒｍａｎｎ）、Ｃｈｅｍ．Ｂｅｒ．，１１６，９９２，（１９８３）〕に近い手順に従って行なった。生成物の精製については推奨されている蒸留の代わりに、帯状昇華を用いた（１４５−１４５−１２５℃、２〜３時間）。明るい褐色を帯びた白色固体（収率６９％）。質量スペクトル：ｍ／ｚ：２３７（１８％）、１６１（１００％、Ｍ＋）、９１（７１％）。１Ｈ  ＮＭＲ（２５０ＭＨＺ、ＤＭＳＯ−ｄ６）δ，ｐｐｍ：６．２２−６．２８（ｄ．のｄ．、１Ｈ）、６．７０−６．８０（ｄ．のｄ．、１Ｈ）、６．８６−７．０３（ｍ、３Ｈ）、７．６０−７．６５（ｍ、１Ｈ）。１３Ｃ  ＮＭＲ（２５０ＭＨＺ、ＤＭＳＯ−ｄ６）：１１８．６、１２２．３、１２５．２、１２８．３、１２８．４、１３７．１、１４４．６、１４９．４、１５１．９。
【００２６】
図式２．  ２−（２−チエニル）ピリジンの合成
【００２７】
0004619546.tif 000005
【００２８】
２−（２−チエニル）キノリン。  合成は図式３に示されており、公表された手順〔Ｋ．Ｅ．チッペンデール（Ｃｈｉｐｐｅｎｄａｌｅ）、Ｂ．イドン（Ｉｄｄｏｎ）、Ｈ．サシツキー（Ｓｕｓｃｈｉｔｚｋｙ）、Ｊ．Ｃｈｅｍ．Ｓｏｃ．，９０，１８７１，（１９４９）〕に従って行われた。精製は正確に文献に従って行われ、昇華もカラムクロマトグラフィーも、ａ．石油エーテル及びｂ．ＥｔＯＨ−Ｈ２Ｏ（１：１）混合物からの再結晶化ほど良い結果は与えなかった。淡黄色固体は、時間と共に一層黄色くなった（収率８４％）。質量スペクトル：ｍ／ｚ：２１７（３２％）、２１６（７７％）、２１５（８３％）、２１４（７８％）、２１３（７７％）、２１２（７９％）、２１１（１００％、Ｍ＋）、２１０（９３％）、２０９（４６％）。１Ｈ  ＮＭＲ（２５０ＭＨＺ、ＤＭＳＯ−ｄ６）δ，ｐｐｍ：７．１８−７．２４（ｄ．のｄ．、１Ｈ）、７．４８−７．５８（ｄ．のｄ．のｄ．、１Ｈ）、７．６７−７．７８（ｍ、２Ｈ）、７．９１−７．９７（ｍ、３Ｈ）、８．０８−８．１１（ｄ、１Ｈ）、８．３６−８．３９（ｄ、１Ｈ）。
【００２９】
図式３．  ２−（２−チエニル）キノリン  の合成
【００３０】
0004619546.tif 000006
【００３１】
２−（２′−ブロモフェニル）ピリジン。  合成は文献〔Ｄ．Ｈ．ヘイ（Ｈｅｙ）、Ｃ．Ｊ．Ｍ．スターリング（Ｓｔｉｒｌｉｎｇ）、Ｇ．Ｈ．ウィリアムズ（Ｗｉｌｌｉａｍｓ）、Ｊ．Ｃｈｅｍ．Ｓｏｃ．，３９６３，（１９５５）、Ｒ．Ａ．アブラモビッチ（Ａｂｒａｍｏｖｉｃｈ）、Ｊ．Ｇ．サハ（Ｓａｈａ）、Ｊ．Ｃｈｅｍ．Ｓｏｃ．，２１７５，（１９６４）〕に従って行なった。それは図式４に概略示されている。主題の文献は、ピリジンを含めた異なった系での芳香族置換の研究及び得られた生成物中の異性体比の研究のために利用された。このように、２−（２′−ブロモフェニル）ピリジンではなく、異なった置換フェニルピリジンの異性体混合物を分析するために、著者は１５５℃でクロモソーブ（Ｃｈｒｏｍｏｓｏｒｂ）Ｗに琥珀酸エチレングリコール（１０％）を充填した８ｆｔ×１／４ｉｎカラム及び或るヘリウム導入圧力を用いた。我々が得た反応混合物を分析するため、溶離剤としてヘキサン：ＴＨＦ（１：１）及びヘキサン：ＴＨＦ：ＰｒＯＨ−１（４：４：１）混合物を用いたシリカゲルによるカラムクロマトグラフィーを用いた。なぜなら、この溶媒混合物がＴＬＣ（３つのウェル分析スポット）で最もよい結果を与えたからである。カラム中の第一スポットだけがｎ−（２′−ブロモフェニル）ピリジン（ｍ／ｚ：２３３、２３５）に相当する質量スペクトル主要ピークを与え、残りのスポットではこのピークは小さかった。第一フラクションの質量スペクトル：ｍ／ｚ：２３５（９７％）、２３３（１００％、Ｍ＋）、１５４（８６％）、１２７（７４％）。第一フラクションの１Ｈ  ＮＭＲ（２５０ＭＨＺ、ＤＭＳＯ−ｄ６）δ，ｐｐｍ：７．２７−７．５１（ｍ、４Ｈ）、７．５９−７．９６（ｍ、２Ｈ）、８．５７−８．７８（ｍ、２Ｈ）。
【００３２】
図式４．  ｎ−（２′−（ブロモフェニル）ピリジンの合成
【００３３】
0004619546.tif 000007
【００３４】
カラム後の第一フラクション生成物の昇華は、１Ｈ  ＮＭＲスペクトルで汚染物のピークの消失をもたらさなかったので、我々は昇華が、存在した場合の異性体の分析を与えることは期待していない。
【００３５】
２−フェニルピリジン。  文献〔Ｊ．Ｃ．Ｗ．エバンス（Ｅｖａｎｓ）、Ｃ．Ｆ．Ｈ．アレン（Ａｌｌｅｎ）、Ｏｒｇ．Ｓｙｎｔｈ．Ｃｅｌｌ．，２，５１７，（１９４３）〕の手順により合成したが、図式５に示されている。淡黄色の油は、空気中で暗化した（収率４８％）。真空蒸留後の生成物の１Ｈ  ＮＭＲ（２５０ＭＨＺ、ＤＭＳＯ−ｄ６）δ，ｐｐｍ：６．７０−６．７６（ｍ、１Ｈ）、６．９２−７．１０（ｍ、３Ｈ）、７．２７−７．３０（ｍ、１Ｈ）、７．３６−７．３９（ｑ、１Ｈ）、７．６０−７．６８（ｍ、２Ｈ）、８．１６−８．２３（ｍ、１Ｈ）。
【００３６】
図式５．  ２−フェニルピリジンの合成
【００３７】
0004619546.tif 000008
【００３８】
２，２′−ジアミノビフェニル。文献〔Ｒ．Ｅ．ムーア（Ｍｏｏｒｅ）、Ａ．フルスト（Ｆｕｒｓｔ）、Ｊ．Ｏｒｇ．Ｃｈｅｍ．，２３，１５０４（１９５８）〕（図式６）の方法により合成した。淡いピンク色の固体（収率６９％）。１Ｈ  ＮＭＲ（２５０ＭＨＺ、ＤＭＳＯ−ｄ６）δ，ｐｐｍ：５．７２−５．８０（ｄ．のｔ．、２Ｈ）、５．８７−５．９３（ｄ．のｄ．、２Ｈ）、６．０３−６．０９（ｄ．のｄ．、２Ｈ）、６．１３−６．２３（ｄ．のｔ．、２Ｈ）。質量スペクトル：ｍ／ｚ：１８５（４０％）、１８４（１００％、Ｍ＋）、１８３（７３％）、１６８（６９％）、１６７（８７％）、１６６（６２％）、１３９（２７％）。
【００３９】
図式６．  ２，２′−ジニトロビフェニルから２，２′−ジブロモビフェニルの合成
【００４０】
0004619546.tif 000009
【００４１】
２，２′−ジブロモビフェニル。（図式６）〔Ａ．ウエハラ（Ｕｅｈａｒａ）、Ｊ．Ｃ．バイラー（Ｂａｉｌａｒ），Ｊｒ．、Ｊ．Ｏｒｇａｎｏｍｅｔ．Ｃｈｅｍ．，２３９，１，（１９８２）〕。
【００４２】
２，２′−ジブロモ−１，１′−ビナフチル．文献〔Ｈ．タカヤ（Ｔａｋａｙａ）、Ｓ．アクタガワ（Ａｋｕｔａｇａｗａ）、Ｒ．ノヨリ（Ｎｏｙｏｒｉ）、Ｏｒｇ．Ｓｙｎｔｈ．，６７，２０，（１９８９）〕に従って合成された。（図式７）
【００４３】
図式７．  ２，２′−ジブロモ−１，１′−ビナフチルの合成。
【００４４】
0004619546.tif 000010
【００４５】
トランス−ジクロロ−ビス−（ジエチルスルフィド）白金（ＩＩ）。公表された手順〔Ｇ．Ｂ．カウフマン（Ｋａｕｆｆｍａｎ）、Ｄ．Ｏ．カウアン（Ｃｏｗａｎ）、Ｉｎｏｒｇ．Ｓｙｎｔｈ．，６，２１１，（１９５３）〕により調製。（図式８）。明るい黄色固体（収率７８％）。
【００４６】
シス−ジクロロ−ビス−（ジエチルスルフィド）白金（ＩＩ）。公表された手順〔Ｇ．Ｂ．カウフマン、Ｄ．Ｏ．カウアン、Ｉｎｏｒｇ．Ｓｙｎｔｈ．，６，２１１，（１９５３）〕により調製。明るい黄色固体（収率６３％）。
【００４７】
図式８．シス−及びトランス−ジクロロ−ビス−（ジエチルスルフィド）白金（ＩＩ）の合成。
0004619546.tif 000011
【００４８】
シス−ビス［２−（２′−チエニル）ピリジナト−Ｎ，Ｃ５′］白金（ＩＩ）。文献〔Ｌ．チャソット、Ａ．フォン・ゼレウスキー、Ｉｎｏｒｇ．Ｃｈｅｍ．，３２，４５８５，（１９９３）〕の方法によって合成した。（図式９）  明るい赤色結晶（収率３９％）。質量スペクトル：ｍ／ｚ：５１８（２５％）、５１７（２０％、）、５１６（８１％）、５１３（１００％、Ｍ＋）、５１４（８７％）、４８１（１５％）、３５４（２３％）。
【００４９】
図式９．シス−ビス［２−（２′−チエニル）ピリジナト−Ｎ，Ｃ３］白金（ＩＩ）の合成。
【００５０】
0004619546.tif 000012
【００５１】
シス−ビス［２−（２′−チエニル）キノリナト−Ｎ，Ｃ３］白金（ＩＩ）。公表された手順〔Ｐ．ジョリエ、Ｍ．ギアニニ、Ａ．フォン・ゼレウスキー、Ｇ．ベルナルディネリ、Ｈ．ステキー・エバンス、Ｉｎｏｒｇ．Ｃｈｅｍ．，３５，４８８３，（１９９６）〕に従って製造した。（図式１０）。暗赤色固体（収率２１％）。
【００５２】
0004619546.tif 000013
【００５３】
図式１０．  シス−ビス［２−（２′−チエニル）キノリナト−Ｎ，Ｃ５′］白金（ＩＩ）の合成
吸収スペクトルをＡＶＩＶ型１４ＤＳ−ＵＶ−Ｖｉｓ−ＩＲ分光光度計で記録し、溶媒吸収によるバックグラウンドについて補正した。発光スペクトルを、１５２７ＰＭＴ検出器を具えたＰＴＩクァンタマスター（ＱｕａｎｔａＭａｓｔａｒ）型Ｃ−６０ＳＥ分光計で記録し、検出器感度不均一性について補正した。
【００５４】
真空度〜１０−６トールの標準高真空装置〔カートＪ．レスカー（Ｋｕｒｔ  Ｊ．Ｌｅｓｋｒ）真空室〕を用いて真空蒸着実験を行った。もし蒸着のための基体として用いられた場合には、石英板〔ケムグラス社（ＣｈｅｍＧｌａｓｓ  Ｉｎｃ．）〕又は硼珪酸塩ガラス・インジウム錫酸化物板〔ＩＴＯ、デルタ・テクノロジーズ社（Ｄｅｌｔａ  Ｔｅｃｈｎｏｌｏｇｉｅｓ，Ｌｍｔｄ．）〕を、後者のための公表された手順に従い予め清浄にした〔Ａ．ショウスチコフ（Ｓｈｏｕｓｔｉｋｏｖ）、Ｙ．ユウ（Ｙｏｕ）、Ｐ．Ｅ．バローズ（Ｂｕｒｒｏｗｓ）、Ｍ．Ｅ．トンプソン（Ｔｈｏｍｐｓｏｎ）、Ｓ．Ｒ．ホレスト（Ｆｏｒｒｅｓｔ）、及Ｓｙｎｔｈ．Ｍｅｔ．，９１，２１７，（１９９７）〕。
【００５５】
調節可能な速度、加速速度、及び減速速度をもつ標準回転被覆機〔スペシャルティ・コーティング・システムズ社（Ｓｐｅｃｉａｌｔｙ  Ｃｏａｔｉｎｇ  Ｓｙｓｔｅｍｓ  Ｉｎｃ．）〕を用いて、薄膜回転被覆実験を行った。殆どのフイルムは４０００ｒｐｍの速度及び最大加速及び減速で４０秒間回転被覆した。
【００５６】
Ｐｔシクロメタル化錯体の光学的性質
表１．幾つかのシクロ白金化錯体の吸収及び発光特性。
Ａ．フォン・ゼレウスキーその他〔Ｃｈｅｍ．Ｐｈｙｓ．Ｌｅｔｔ．，１２２，３７５，（１９８５）、及びＨｅｌｖ．Ｃｈｉｍ．Ａｃｔａ  １７，１０５３，（１９８８）〕からの引用。省略記号の説明は図式１に与えられている。
【００５７】
0004619546.tif 000014
【００５８】
図式１．  表１で用いた省略記号についての説明
0004619546.tif 000015
【００５９】
0004619546.tif 000016
【００６０】
溶液中の光学的性質
溶液（ＣＨＣｌ３又はＣＨ２Ｃｌ２）中の錯体Ｐｔ（ｔｈｐｙ）２、Ｐｔ（ｔｈｑ）２、及びＰｔ（ｂｐｈ）（ｂｐｙ）の吸収スペクトルを標準化し、図１に与える。Ｐｔ（ｐｈｐｙ）２の最大吸収は、約４００ｎｍの所に最大値を示すが、明らかにこの錯体は更に精製を必要とするため、そのスペクトルは与えられていない。
【００６１】
標準化発光スペクトルを図２に示す。Ｐｔ（ｔｈｐｙ）２、Ｐｔ（ｔｈｑ）２、及びＰｔ（ｂｐｈ）（ｂｐｙ）についての励起波長は、夫々４３０ｎｍ、４５０ｎｍ、及び４４９ｎｍである（それらの励起スペクトルの中の最大値により決定した）。Ｐｔ（ｔｈｐｙ）２は、強いオレンジから黄色の発光を与えるが、Ｐｔ（ｔｈｑ）２は５００及び６２０ｎｍの所に２本の線を与える。これらの材料からの発光は、効果的な燐光によるものである。Ｐｔ（ｂｐｈ）（ｂｐｙ）は、４７０ｎｍに中心をもつ青色の発光を与える。Ｐｔ（ｂｐｈ）（ｂｐｙ）で観察される発光は、燐光ではなく、蛍光によるものと最も思われる。
【００６２】
溶液中の発光寿命及び量子効率
0004619546.tif 000017
【００６３】
ＰＳ固体マトリックス中の光学的性質
Ｐｔ（ｔｈｐｙ）２．４００ｎｍでの励起による最大発光は５８０ｎｍの所にある（寿命６．５μｓ）。ポリスチレン中の試料の寿命が増大したことに基づき、Ｐｔ（ｔｈｐｙ）２のポリスチレン中の量子効率は０．４７であると推定した。
Ｐｔ（ｔｈｑ）２。４５０ｎｍでの励起による最大発光、６０８ｎｍ（寿命７．４４μｓ）
【００６４】
ＰＶＫフイルム中の錯体の光学的性質
これらの測定は、Ｐｔ（ｔｈｐｙ）２についてのみ行なった。
ポリビニルカルバゾール（ＰＶＫ）は２５０ｎｍで励起し、ＰＶＫからＰｔ（ｔｈｐｙ）２へのエネルギー遷移が観察された（図３）。エネルギー遷移のための最良のＰＶＫ：Ｐｔ（ｔｈｐｙ）２重量比は約１００：６．３であることが判明した。
【００６５】
発光ダイオード
ＩＴＯ／ＰＶＫ：ＰＢＤ．Ｐｔ（ｔｈｐｙ）２（１００：４０：２）／Ａｇ：Ｍｇ／Ａｇ
Ｐｔ（ｔｈｐｙ）２は、昇華に対し安定であるとは見えなかった。ＯＬＥＤ中でそれを試験するため、Ｐｔ（ｔｈｐｙ）２ドーパントを用いた重合体混合ＯＬＥＤを製造した。上に記載したホトルミネッセンス研究により最適ドープ量を決定した。この装置からの発光は、排他的にＰｔ（ｔｈｐｙ）２ドーパントからきていた。装置の典型的な電流・電圧特性及び光出力曲線を、図４に示す。
【００６６】
印加した電圧に対する量子効率依存性を図５に示す。
【００６７】
例えば、２２Ｖでの量子効率は約０．１１％であった。この装置を駆動するのに高電圧が必要なのは、重合体混合ＯＬＥＤ構造の結果であり、ドーパントによるものではない。Ｐｔ（ｔｈｐｙ）２の代わりにクマリンドーパントを用いて製造した重合体混合装置について同様な装置性能が観察された。
【００６８】
エレクトロルミネッセンス・スペクトル及びＣＩＥ図表を図６に示す。
【図面の簡単な説明】
【図１】  Ｐｔ（ｔｈｐｙ）２、Ｐｔ（ｔｈｑ）２、及びＰｔ（ｂｐｈ）（ｂｐｙ）の電子吸収スペクトルの図である。
【図２】  Ｐｔ（ｔｈｐｙ）２、Ｐｔ（ｔｈｑ）２、及びＰｔ（ｂｐｈ）（ｂｐｙ）の発光スペクトルの図である。
【図３】  固体フイルム中のポリビニルカルバゾール（ＰＶＫ）からＰｔ（ｔｈｐｙ）２へのエネルギー遷移を示す図である。
【図４】  Ｐｔ（ｔｈｐｙ）２ドーパントを用いたＯＬＥＤの特性：（ａ）  Ｉ−Ｖ特性、（ｂ）  光出力曲線、を示す図である。
【図５】  Ｐｔ（ｔｈｐｙ）２ドーパントを用いたＯＬＥＤの印加電圧に対する量子効率依存性を示す図である。
【図６】  Ｐｔ（ｔｈｐｙ）２ドーパントを用いたＯＬＥＤ装置の特性：（ａ）  ２２Ｖでの装置の標準化エレクトロルミネッセンス（ＥＬ）スペクトル、（ｂ）  標準化ＥＬスペクトルに基づくＣＩＥ図表である。
【図１】
0004619546.tif 000018
【図２】
0004619546.tif 000019
【図３】
0004619546.tif 000020
【図４】
0004619546.tif 000021
0004619546.tif 000022
【図５】
0004619546.tif 000023
【図６】
0004619546.tif 000024
0004619546.tif 000025